(57)【要約】【課題】  サービスを利用するための複数のＩＣカードを所有するユーザにとって利便性の高い環境を提供すること。【解決手段】  本発明の情報管理サーバ２０は、特定サービスを利用するためのＩＣカード１７を内蔵する通信端末１０から、特定サービスの利用開始に応じて送信される、通信端末１０のユーザを特定するユーザＩＤと、ＩＣカード１７を識別するカードＩＤと、特定サービスを識別するサービスＩＤと、を受信して登録を受付ける登録受付部２２と、登録受付部２２が受信したユーザＩＤとカードＩＤとサービスＩＤとを関連づけて格納する格納部２５と、を備えることを特徴とする。【選択図】  図１
2007004266.tif 000002
【特許請求の範囲】
【請求項１】
特定サービスを利用するためのＩＣカードを内蔵する通信端末から、前記特定サービスの利用開始に応じて送信される、前記通信端末のユーザを特定するユーザＩＤと、前記ＩＣカードを識別するカードＩＤと、前記特定サービスを識別するサービスＩＤと、を受信して登録を受付ける登録受付手段と、
前記登録受付手段が受信した前記ユーザＩＤと前記カードＩＤと前記サービスＩＤとを関連づけて格納する格納手段と、
を備えることを特徴とする情報管理サーバ。
【請求項２】
前記ユーザＩＤに対応する情報を要求する旨を示す要求情報を受信する要求受付手段と、
当該受信された前記要求情報に対応する前記ユーザＩＤに関連づけられた前記カードＩＤ及び前記サービスＩＤを前記格納手段から抽出する抽出手段と、
当該抽出された前記カードＩＤ及び前記サービスＩＤを返信する送信手段と、
を更に備えることを特徴とする請求項１に記載の情報管理サーバ。
【請求項３】
前記特定サービスまたは前記ＩＣカードの利用を停止する旨の情報を含む停止情報を受信する情報受付手段を更に備え、
前記格納手段は、前記情報受付手段が受信した前記停止情報に対応する前記サービスＩＤまたは前記カードＩＤに関連づけて利用停止の旨を示す利用停止情報を更に格納し、
前記抽出手段は、抽出した前記カードＩＤまたは前記サービスＩＤに前記利用停止情報が関連付けられて格納されている場合は、該当する前記カードＩＤまたは前記サービスＩＤに前記利用停止情報を付加し、
前記送信手段は、当該付加された前記利用停止情報を前記カードＩＤ及び前記サービスＩＤと共に送信する、
ことを特徴とする請求項２に記載の情報管理サーバ。
【請求項４】
前記送信手段は、前記情報受付手段が前記ＩＣカードの利用を停止した旨の情報を含む前記停止情報を受信すると、当該受信した前記停止情報に対応する前記特定サービスを管理するサービス提供サーバへ前記利用停止情報を送信することを特徴とする請求項３に記載の情報管理サーバ。
【請求項５】
前記請求項１〜４のいずれか１項に記載の情報管理サーバと通信端末とを備え、
前記通信端末は、
特定サービスを利用するためのＩＣカードと、
前記特定サービスの利用開始に応じて、当該通信端末のユーザを特定するユーザＩＤ、前記ＩＣカードを識別するカードＩＤ、および、前記特定サービスを識別するサービスＩＤを前記情報管理サーバへ送信する登録要求手段と、
を有することを特徴とする情報管理システム。
【請求項６】
前記登録要求手段は、前記特定サービスを利用するためのアプリケーションの初回の起動に応じて前記ユーザＩＤと前記カードＩＤと前記サービスＩＤとを送信することを特徴とする請求項５に記載の情報管理システム。
【請求項７】
前記登録要求手段は、前記ＩＣカード内のメモリ領域における前記特定サービスに対応する領域の割当処理に応じて前記ユーザＩＤと前記カードＩＤと前記サービスＩＤとを送信することを特徴とする請求項５記載の情報管理システム。
【請求項８】
前記領域の割当の解除処理に応じて、対応する前記特定サービスの利用を停止する旨を示す停止情報を前記情報管理サーバへ送信する情報提供手段を備えることを特徴とする請求項５記載の情報管理システム。
【請求項９】
登録受付手段が、特定サービスを利用するためのＩＣカードを内蔵する通信端末から、前記特定サービスの利用開始に応じて送信される、前記通信端末のユーザを特定するユーザＩＤと、前記ＩＣカードを識別するカードＩＤと、前記特定サービスを識別するサービスＩＤと、を受信して登録を受付けるステップと、
格納手段が、前記登録受付手段が受信した前記ユーザＩＤと前記カードＩＤと前記サービスＩＤとを関連づけて格納するステップと、
を備えることを特徴とする情報管理方法。
【発明の詳細な説明】
【技術分野】
【０００１】
本発明は、情報管理サーバ、情報管理システム及び情報管理方法に関する。
【背景技術】
【０００２】
従来から、電子バリューを取り扱う商取引サービスを、ＩＣカードを用いて利用する技術が知られている。ＩＣカードは、商取引サービスを利用するためのバリューデータを格納するＩＣメモリを内蔵しており、このＩＣメモリに複数の商取引サービスに対応するバリューデータを格納することで、複数の商取引サービスを利用することができる。このような場合に、複数のサービスの利用情報を管理する方法として、下記特許文献１記載の方法が提案されている。
【０００３】
すなわち、下記特許文献１には、ＩＣカードを識別するカードＩＤと、ＩＣカードを用いて利用されているサービスを識別するサービスＩＤと、を関連づけて情報提供システム内に格納し、その情報提供システムからユーザの携帯電話へ利用しているサービスの情報を提供する方法が記載されている。
【特許文献１】特開２００３−６５７４号公報
【発明の開示】
【発明が解決しようとする課題】
【０００４】
本発明者らは、ユーザがＩＣカードを内蔵する通信端末を所有し、ＩＣカードにて複数のサービスを利用可能なシステムを構築した。このシステムでは、１人のユーザが複数の通信端末を所有し、各通信端末にそれぞれ内蔵されたＩＣカードを介して複数のサービスを利用可能である。更に、このシステムでは、サービスの利用に際してユーザが利用する通信端末を置換して別のＩＣカードを内蔵する通信端末に変更することが可能である。すなわち、このシステムでは、１人のユーザが過去、現在に渡って複数の通信端末を使用し、各通信端末に内蔵されたＩＣカードを介して複数のサービスを利用することとなる。この為に、ユーザが利用する複数のサービスの利用情報を管理する必要性が更に増すこととなった。
【０００５】
しかし、上記特許文献１に記載の方法では、各サービス提供側から利用したサービスのサービスＩＤをカードＩＤと関連づけて情報提供システムへ送信することによって、ＩＣカード毎にサービスを管理している。また、ユーザがサービスの情報の提供を要求する際には、カードの暗証番号にて認証するので、１枚のカードに対応する情報しか取得できない。このように、上記特許文献１に記載の方法では、１人のユーザに対応して、複数のＩＣカードを介して利用する複数のサービスの利用情報を管理できない。
【０００６】
そこで、本発明は、上述の課題に鑑みて為されたものであり、サービスを利用するための複数のＩＣカードを所有するユーザにとって利便性の高い環境を提供可能な情報管理サーバ、情報管理システム及び情報管理方法、を提供することを目的とする。
【課題を解決するための手段】
【０００７】
上記問題を解決するため、本発明の情報管理サーバは、（１）特定サービスを利用するためのＩＣカードを内蔵する通信端末から、特定サービスの利用開始に応じて送信される、通信端末のユーザを特定するユーザＩＤと、ＩＣカードを識別するカードＩＤと、特定サービスを識別するサービスＩＤと、を受信して登録を受付ける登録受付手段と、（２）登録受付手段が受信したユーザＩＤとカードＩＤとサービスＩＤとを関連づけて格納する格納手段と、を備えることを特徴とする。
【０００８】
本発明の情報管理方法は、（１）登録受付手段が、特定サービスを利用するためのＩＣカードを内蔵する通信端末から、特定サービスの利用開始に応じて送信される、通信端末のユーザを特定するユーザＩＤと、ＩＣカードを識別するカードＩＤと、特定サービスを識別するサービスＩＤと、を受信して登録を受付けるステップと、（２）格納手段が、登録受付手段が受信したユーザＩＤとカードＩＤとサービスＩＤとを関連づけて格納するステップと、を備えることを特徴とする。
【０００９】
本発明の情報管理システムは、上記情報管理サーバと通信端末とを備え、通信端末は、特定サービスを利用するためのＩＣカードと、特定サービスの利用開始に応じて、当該通信端末のユーザを特定するユーザＩＤ、ＩＣカードを識別するカードＩＤ、および、特定サービスを識別するサービスＩＤを情報管理サーバへ送信する登録要求手段と、を有することを特徴とする。
【００１０】
このような本発明によれば、通信端末から送信されるユーザＩＤとカードＩＤとサービスＩＤとを登録受付手段が受信するので、過去、現在に渡って複数のＩＣカードを利用可能なユーザのユーザＩＤに対応させて、カードＩＤとサービスＩＤとの情報を取得することができる。更に、格納手段がユーザＩＤとカードＩＤとサービスＩＤとを関連づけて格納するので、１人のユーザに対して複数のＩＣカード毎の複数のサービスの利用状況を管理することができる。すなわち、ユーザが利用する特定サービスを変更したり、通信端末（ＩＣカード）を置換したりする際に、どの特定サービスがどのＩＣカードを用いて利用されているかを把握することができる。従って、複数のＩＣカードを利用するユーザに対して利便性の高い環境を提供することができる。
【００１１】
また、本発明の情報管理サーバは、ユーザＩＤに対応する情報を要求する旨を示す要求情報を受信する要求受付手段と、受信された要求情報に対応するユーザＩＤに関連づけられたカードＩＤ及びサービスＩＤを格納手段から抽出する抽出手段と、抽出されたカードＩＤ及びサービスＩＤを返信する送信手段と、を更に備えることも好ましい。
【００１２】
このような構成とすれば、要求受付手段が受信したユーザＩＤに対応するカードＩＤ及びサービスＩＤを抽出手段が抽出して、送信手段がカードＩＤとサービスＩＤとを送信するので、複数のＩＣカード毎の複数のサービスの利用情報を提供することができる。
【００１３】
更に、本発明の情報管理サーバは、特定サービスまたはＩＣカードの利用を停止する旨の情報を含む停止情報を受信する情報受付手段を更に備え、格納手段は、情報受付手段が受信した停止情報に対応するサービスＩＤまたはカードＩＤに関連づけて利用停止の旨を示す利用停止情報を更に格納し、抽出手段は、抽出したカードＩＤまたはサービスＩＤに利用停止情報が関連付けられて格納されている場合は、該当するカードＩＤまたはサービスＩＤに利用停止情報を付加し、送信手段は、付加された利用停止情報をカードＩＤ及びサービスＩＤと共に送信する、ことも好ましい。
【００１４】
このように、情報受付手段が停止情報を受信して、格納手段が対応するサービスＩＤ又はカードＩＤに利用停止情報を関連づけて格納するので、利用を停止した特定サービス又はＩＣカードを把握することができる。また、抽出手段がカードＩＤ又はサービスＩＤに利用停止情報を付加し、送信手段が利用停止情報をカードＩＤ及びサービスＩＤと共に送信するので、利用を停止した特定サービス又はＩＣカードの情報を提供することができる。すなわち、ユーザが、通信端末（ＩＣカード）の利用を停止して、新たな通信端末（ＩＣカード）を利用する場合に、過去に利用を停止した特定サービスまたはＩＣカードの情報を提供するので、より容易に特定サービスの移行を行うことが可能となる。
【００１５】
更に、本発明の情報管理サーバは、送信手段は、情報受付手段がＩＣカードの利用を停止した旨の情報を含む停止情報を受信すると、受信した停止情報に対応する特定サービスを管理するサービス提供サーバへ利用停止情報を送信することを特徴とすることも好ましい。
【００１６】
この場合、情報受付手段がＩＣカードの停止情報を受信すると、送信手段が対応するサービス提供サーバへ利用停止情報を送信するので、ＩＣカードの利用停止に応じて各サービス提供サーバへ利用停止の旨の情報が送信されることとなる。よって、ユーザによる各サービス提供会社への連絡は不要となり、利便性が向上する。
【００１７】
また、本発明の情報管理システムは、登録要求手段は、特定サービスを利用するためのアプリケーションの初回の起動に応じてユーザＩＤとカードＩＤとサービスＩＤとを送信することも好ましい。よって、より的確にサービスの利用開始に応じて登録の要求を自動的に行うことができる。
【００１８】
また、本発明の情報管理システムは、登録要求手段は、ＩＣカード内のメモリ領域における特定サービスに対応する領域の割当処理に応じてユーザＩＤとカードＩＤとサービスＩＤとを送信することも好ましい。よって、より的確にサービスの利用開始に応じて登録の要求を行うことができる。
【００１９】
更に、本発明の情報管理システムは、領域の割当の解除処理に応じて、対応する特定サービスの利用を停止する旨を示す停止情報を情報管理サーバへ送信する情報提供手段を備えることも好ましい。こうすれば、通信端末のＩＣカード内におけるメモリ領域の割当解除に応じて停止情報が送信されるので、サービスの停止情報をサービスの利用停止に応じて自動的に情報管理サーバへ送信することができる。
【発明の効果】
【００２０】
本発明によれば、サービスを利用するための複数のＩＣカードを所有するユーザにとって利便性の高い環境を提供することが可能となる。
【発明を実施するための最良の形態】
【００２１】
以下、添付図面を参照して、本発明を実施するための最良の形態を詳細に説明する。なお、図面の説明において同一の要素に同一の符号を付し、重複する説明を省略する。
【００２２】
図１は、本発明による情報管理システムの好適な一実施形態を示す概略構成図である。同図に示す情報管理システム１は、通信端末１０と情報管理サーバ２０とサービス提供サーバ３０と端末管理サーバ４０とを備えている。サービス提供サーバ３０は、通信端末１０及び情報管理サーバ２０と、インターネット網または広域の通信網Ｎを介して相互に情報の送受信が可能とされている。一方、情報管理サーバ２０は、図示しない携帯電話網に属する装置であって、通信端末１０と携帯電話網を介して情報の送受信を行うことができるように構成されている。また、端末管理サーバ４０は、インターネットや専用線といった通信手段を介して情報を情報管理サーバ２０へ送信可能に構成されている。引き続いて、情報管理システム１を構成する各装置について説明する。
【００２３】
まず、通信端末１０の構成について説明する。通信端末１０は通話と共に情報の送受信が可能な携帯電話機であって、携帯電話網においてユーザを特定する電話番号（ユーザＩＤ）が格納されたＵＩＭ（User Identity Module）カードが装着されている。このＵＩＭカードは通信端末１０に着脱可能であり、ＵＩＭカードを差し替えて通信端末を使用することにより、複数の通信端末１０を使用するユーザを特定することが可能となる。
【００２４】
通信端末１０は、更に特定サービスを利用するためのＩＣカード１７を内蔵して、非接触ＩＣカード通信方式により外部のリーダライタ装置との間で情報の送受信が可能とされている。特定サービスとは、電子マネーによる支払いや各種サービスの利用に応じたポイントの加算といった電子バリューを取り扱うサービスである。この特定サービスには、電子バリューの送受信を伴うサービスには限られず、電子バリューの管理、チケット、オンラインショッピング、鍵、会員証、乗車券、ＩＤ、クレジットカード、キャッシュカード、ポイントカードやＩＣカード１７のメモリ領域の管理を目的とするサービス、赤外線などの外部インターフェースで利用可能なサービスも含まれる。ＩＣカード１７は、電子バリューの読み出し及び書き込みを管理するための固有アプリケーションが格納されると共に、電子バリューデータを格納するための領域を有するメモリと、外部のリーダライタと無線通信をするためのアンテナと、を備えている。このＩＣカード１７には、ＩＣカード１７を識別するカードＩＤが上記のメモリに格納されている。
【００２５】
このような構成により、情報管理システム１において、一人のユーザが複数の通信端末１０を所有することによって複数のＩＣカード１７を利用することが可能となる。また、通信端末１０を別の機種に変更する場合は、ＩＣカード１７と共に変更することとなる。従って、１人のユーザが過去、現在に渡って複数の通信端末を使用し、各通信端末に内蔵された相異なるＩＣカード１７を介して複数のサービスを利用することとなる。
【００２６】
また、通信端末１０は、特定サービスを利用するための特定サービスごとのサービス用アプリケーションをダウンロードし、通信端末１０のＲＡＭ等のメモリ（図示せず）に格納する。格納されたサービス用アプリケーションの初回起動時に、ＩＣカード１７のメモリ領域において特定サービスに対応する領域の割当処理が行われる。
【００２７】
通信端末１０は、更に機能的な構成要素として、登録要求部１２と情報要求部１３と情報提供部１４とを含む送信部１１と、受信部１５と、表示部１６と、を備えて構成される。
【００２８】
登録要求部１２は、特定サービスの利用開始に応じて、電話番号とカードＩＤと特定サービスを識別するサービスＩＤとを情報管理サーバ２０へ送信し、特定サービスの登録を要求する部分である。電話番号は、登録要求部１２によって、通信端末１０に装着されたＵＩＭカードから取得される。カードＩＤは、通信端末１０に内蔵されたＩＣカード１７から取得される。本実施形態では、特定サービスを利用するためにダウンロードしたサービス用アプリケーションの初回起動に応じて電話番号とカードＩＤとサービスＩＤとを送信する。すなわち、サービス用アプリケーションの初回起動処理に登録要求部１２の機能が組み込まれている。
【００２９】
情報要求部１３は、電話番号に対応する利用情報を要求する旨を示す要求情報を情報管理サーバ２０へ送信する部分である。電話番号に対応する利用情報とは、電話番号によって特定されるユーザが利用したＩＣカード１７と、そのＩＣカード１７を介して利用した特定サービスとを特定する情報である。
【００３０】
情報提供部１４は、領域割当の解除処理に応じて特定サービスの利用を停止する旨の情報を含むサービス停止情報（停止情報）を情報管理サーバ２０へ送信する部分である。領域割当の解除処理とは、ＩＣカード１７のメモリに格納された特定サービスに対応するデータを削除して、特定サービスに対応する領域の割当を解除する処理である。サービス停止情報は、該当する電話番号、カードＩＤおよびサービスＩＤを含む情報である。情報提供部１４は、サービス用アプリケーション等を介してユーザから、領域割当の解除処理の要求を受け付けると、サービス停止情報を送信する。更に、情報提供部１４は、情報管理サーバ２０におけるサービスＩＤの登録の削除を要求する旨の削除情報を情報管理サーバ２０へ送信し、削除要求を行う部分でもある。
【００３１】
受信部１５は、情報要求部１３による要求情報の送信に応じて、情報管理サーバ２０から返信される利用情報を受信する部分である。更に、受信部１５は、後述する登録完了通知、停止処理完了通知および削除処理完了通知を受信する部分でもある。受信部１５は、受信した利用情報、登録完了通知、停止処理完了通知および削除処理完了通知を表示部１６へ出力する。
【００３２】
表示部１６は、受信部１５が受信した利用情報を表示する部分である。更に、表示部１６は、受信部１５が受信した登録完了通知、停止処理完了通知または削除処理完了通知を表示する。
【００３３】
次に、情報管理サーバ２０の構成について説明する。情報管理サーバ２０は、機能的な構成要素として、登録受付部２２と要求受付部２３と情報受付部２４とを含む受信部２１と、格納部２５と、抽出部２６と、送信部２７と、を備えて構成される。
【００３４】
登録受付部２２は、通信端末１０から送信される電話番号とカードＩＤとサービスＩＤとを受信して登録を受付ける部分である。登録受付部２２は、受信した電話番号とカードＩＤとサービスＩＤとを格納部２５へ出力する。
【００３５】
要求受付部２３は、電話番号に対応する情報を要求する旨を示す要求情報を受信し、情報の要求を受付ける部分である。要求受付部２３は、受信した要求情報を抽出部２６へ出力する。
【００３６】
情報受付部２４は、サービス停止情報および削除情報を受信し、情報を受付ける部分である。情報受付部２４は、受信したサービス停止情報および削除情報を格納部２５へ出力する。また、情報受付部２４は、ＩＣカード１７の利用を停止する旨の情報を含むカード停止情報（停止情報）を端末管理サーバ４０から受信する部分でもある。カード停止情報は、該当する電話番号およびカードＩＤを含む情報である。情報受付部２４は、受信したカード停止情報を格納部２５へ出力する。
【００３７】
格納部２５は、登録受付部２２によって受信された電話番号とカードＩＤとサービスＩＤとを関連付けてデータベース２８に格納し、特定サービスを登録する部分である。特定サービスの登録が完了すると、格納部２５は、登録完了の旨を示す登録完了情報を送信部２７へ出力する。また、格納部２５は、情報受付部２４によってサービス停止情報またはカード停止情報が受信されると、対応するサービスＩＤに関連付けて、特定サービスの利用を停止する旨を示す利用停止情報をデータベース２８に格納することによって、利用停止情報を登録する。サービス停止情報に対応する利用停止情報の登録が完了すると、格納部２５は、停止処理が完了した旨を示す停止処理完了情報を送信部２７へ出力する。
【００３８】
更に、格納部２５は、カード停止情報に対応する利用停止情報の格納が完了すると、カード停止情報に対応するサービスＩＤと、利用停止情報と、を送信部２７へ出力する。また更に、格納部２５は、情報受付部２４によって削除情報が受信されると、対応するサービスＩＤであって利用停止情報が関連付けて格納されたサービスＩＤを削除することによって、登録を削除する。サービスＩＤの削除が完了すると、格納部２５は、削除処理が完了した旨を示す削除処理完了情報を送信部２７へ出力する。
【００３９】
ここで、図２に、データベース２８に格納されるデータの構成を示す。電話番号に対してカードＩＤが関連付けて格納され、カードＩＤに対してそれぞれサービスＩＤが関連付けて格納されている。具体的には、電話番号「０９０−１２３４−○○○○」に関連付けて、カードＩＤ「１１１１１１１」および「２１２１１１１」が格納され、カードＩＤ「１１１１１１１」に対してサービスＩＤ「ＡＡＡサービス」および「ＢＢＢサービス」が関連付けられて格納されている。
【００４０】
また、データベース２８においては、利用停止情報がサービスＩＤと関連付けて格納されている。例えば、電話番号「０９０−９１２３−××××」、カードＩＤ「２２２２２２２」、及びサービスＩＤ「ＡＡＡサービス」に対応するサービス停止情報が情報受付部２４によって受信されると、電話番号「０９０−９１２３−××××」、カードＩＤ「２２２２２２２」、及びサービスＩＤ「ＡＡＡサービス」とに関連付けて利用停止情報が格納される。
【００４１】
また、データベース２８においては、電話番号「０９０−７８９１−△△△△」、カードＩＤ「３３３３３３３」に対応するカード停止情報が情報受付部２４によって受信されると、電話番号「０９０−７８９１−△△△△」、カードＩＤ「３３３３３３３」に対する２つのサービスＩＤ「ＥＥＥサービス」および「ＣＣＣサービス」に関連付けて、利用停止情報が格納される。
【００４２】
図１に戻って、抽出部２６は、要求受付部２３によって受信された要求情報に対応する電話番号に関連付けられたカードＩＤおよびサービスＩＤをデータベース２８から抽出する部分である。抽出部２６は、抽出したカードＩＤおよびサービスＩＤを送信部２７へ出力する。また、抽出部２６は、抽出したサービスＩＤに利用停止情報が関連付けて格納されていた場合は、そのサービスＩＤに利用停止情報を付加して送信部２７へ出力する。
【００４３】
送信部２７は、抽出部２６によって抽出されたカードＩＤ、サービスＩＤ、及び利用停止情報を通信端末１０へ返信する部分である。また、送信部２７は、格納部２５から登録完了情報、停止処理完了情報および削除処理完了情報が出力されると、それぞれ登録完了通知、停止処理完了通知、削除処理完了通知として通信端末１０へ送信する。更に、送信部２７は、格納部２５からサービスＩＤと利用停止情報が出力されると、サービスＩＤに対応する特定サービスを提供するサービス提供サーバ３０のアドレスを特定し、特定したアドレスへ利用停止情報を送信する。
【００４４】
続いて、サービス提供サーバ３０について説明する。サービス提供サーバ３０は、通信端末１０の要求に応じて、特定サービスを利用するためのサービス用アプリケーションを通信端末１０へ提供する装置である。図１には、１つのサービス提供サーバ３０を図示しているが、複数の特定サービスに対応した複数のサービス提供サーバが本情報管理システム１に含まれている。
【００４５】
また、端末管理サーバ４０は、カード停止情報を情報管理サーバ２０へ送信する装置である。ＩＣカードの利用を停止するのは、例えば、通信端末１０またはＩＣカード１７が故障した為に特定サービスが利用できなくなった場合、ユーザが利用している通信端末１０を他の機種に変更する為にユーザが利用していたＩＣカードの利用を停止する場合等である。
【００４６】
引き続いて、情報管理システム１の動作について説明する。特定サービスを情報管理サーバ２０に登録する際の動作について、図３を参照しながら説明する。
【００４７】
まず、通信端末１０のユーザから特定サービスの利用が要求されると、通信端末１０から特定サービスに対応するサービス用アプリケーションのダウンロードの要求がサービス提供サーバ３０へ送信される（ステップＳ１０）。このダウンロードの要求に応じてサービス提供サーバ３０から通信端末１０に、サービス用アプリケーションが提供される（ステップＳ１１）。
【００４８】
通信端末１０において、ダウンロードされたサービス用アプリケーションが起動される（ステップＳ１２）と、ＩＣカード１７のメモリ領域に特定サービスに対応する領域が割当られ、領域が割当られた旨がサービス提供サーバ３０へ通知される（ステップＳ１３）。領域の割当がなされると、登録要求部１２によって、電話番号とカードＩＤとサービスＩＤとが情報管理サーバ２０へ送信されて登録要求がなされる（ステップＳ１４）。
【００４９】
情報管理サーバ２０の登録受付部２２によって、電話番号とカードＩＤとサービスＩＤとが受信されると、格納部２５によって、電話番号とカードＩＤとサービスＩＤとが関連付けられて格納されて、特定サービスが登録される（ステップＳ１５）。特定サービスが登録されると、送信部２７によって登録完了通知が通信端末１０へ送信される（ステップＳ１６）。
【００５０】
次に図４を参照して、特定サービスを情報管理サーバ２０に登録する際の動作に対応する通信端末１０の表示画面について説明する。
【００５１】
表示画面Ｄ１０は、ＡＡＡサービスを利用するためのサービス用アプリケーションのダウンロードの要求を受け付ける入力画面である。表示画面Ｄ１０において、「ダウンロードする」を選択すると、該当するサービス用アプリケーションのダウンロードが開始される。サービス用アプリケーションのダウンロードが開始されると、ダウンロード中の表示を示す表示画面Ｄ１１が表示される。ダウンロード完了後、サービス用アプリケーションの起動を選択する入力画面である表示画面Ｄ１２が表示される。表示画面Ｄ１２において、「はい」を選択すると、サービス用アプリケーションが起動される。このとき、サービス用アプリケーションの初回起動に続く一連の処理の中で、ＡＡＡサービスが情報管理サーバ２０に登録される。登録が完了すると、登録が完了した旨を示す表示画面Ｄ１４が表示される。
【００５２】
続いて、図５を参照しながら、通信端末１０が情報を取得する際の動作について説明する。
【００５３】
通信端末１０の情報要求部１３によって、電話番号に対応する利用情報を要求する旨を示す要求情報が情報管理サーバ２０へ送信される（ステップＳ２０）。情報管理サーバ２０の要求受付部２３によって要求情報が受信されると、抽出部２６によって要求情報に対応する電話番号に関連付けられたカードＩＤおよびサービスＩＤが抽出される（ステップＳ２１）。利用停止情報がサービスＩＤと関連付けて格納されている場合は、ステップＳ２１において、更に利用停止情報も抽出される。
【００５４】
カードＩＤとサービスＩＤが抽出されると、送信部２７によって、抽出されたカードＩＤ、サービスＩＤおよび利用停止情報が通信端末１０に返信される（ステップＳ２２）。通信端末１０の受信部１５によって、カードＩＤおよびサービスＩＤが受信されると、表示部１６によって、カードＩＤおよびサービスＩＤが表示される（ステップＳ２３）。利用停止情報が受信された場合は、ステップＳ２３において利用停止情報も表示される。
【００５５】
また、図６には、図５のステップＳ２３において表示される利用情報の表示画面の例を示す。表示画面には、カードＩＤとサービスＩＤとが関連付けられて表示されている。すなわち図５に示す表示画面は、電話番号「０９０−１２３４−○○○○」に基づいて特定されるユーザ「田中」さんが、カードＩＤ「１１１１１１１」のＩＣカード１７を用いて、サービスＩＤ「ＡＡＡサービス」と「ＢＢＢサービス」の２つの特定サービスを利用しており、カードＩＤ「２１２１１１１」の他のＩＣカード１７を用いてサービスＩＤ「ＣＣＣサービス」の特定サービスを利用していることを示す。
【００５６】
このように、本実施形態の情報管理システム１では、ユーザが利用する複数のＩＣカード１７と、複数のＩＣカード１７を介して利用される複数の特定サービスと、を関連付けて表示することができる。すなわち、カードＩＤが「１１１１１１１」であるＩＣカード１７が内蔵された通信端末１０を用いて、カードＩＤが「２１２１１１１」であるＩＣカード１７で利用された特定サービスも含めて情報を提供することができる。
【００５７】
引き続いて、図７を参照しながら、サービスの利用を停止する際の情報管理システム１の動作について説明する。
【００５８】
まず、通信端末１０において、領域割当の解除処理の要求が受け付けられると（ステップＳ３０）、通信端末１０の情報提供部１４によって、サービス停止情報が、情報管理サーバ２０へ送信される（ステップＳ３１）。情報管理サーバ２０の情報受付部２４によってサービス停止情報が受信されると、格納部２５によって利用停止情報が該当するサービスＩＤと関連づけられて格納されることにより、利用停止情報が登録される（ステップＳ３２）。
【００５９】
利用停止情報が登録されると、送信部２７によって停止処理完了通知が、通信端末１０へ送信される（ステップＳ３３）。通信端末１０の受信部１５によって停止処理完了通知が受信されると、通信端末１０によって、領域の割当の解除処理がなされてデータが削除された後、その旨がサービス提供サーバ３０に通知される（ステップＳ３３）。
【００６０】
図８を参照して、サービスの利用を停止する際の動作に対応する通信端末１０の表示画面について説明する。
【００６１】
表示画面Ｄ３０およびＤ３１は、ＡＡＡサービスの利用を停止するための停止情報を入力するための入力画面である。表示画面Ｄ３０において、「削除」を選択し、表示画面Ｄ３１において、「ＩＣカード内のデータを削除しますか？」と表示された質問に対して「はい」を選択すると、ＡＡＡサービスのサービス停止情報が通信端末１０から情報管理サーバ２０へ送信される。つまり、表示画面Ｄ３１において、領域割当の解除処理の要求が受け付けられる。
【００６２】
表示画面Ｄ３２は、サービス停止情報の送信および停止完了通知の受信が行われている間の通信中を示す画面である。停止処理完了通知を通信端末１０が受信し、領域の割当解除処理が行われると、表示画面Ｄ３３に示すように「削除完了しました」のメッセージが表示される。
【００６３】
続いて、図９を参照しながら、ＩＣカード１７の利用を停止する際の情報管理システム１の動作について説明する。
【００６４】
まず、端末管理サーバ４０によって、カード停止情報が情報管理サーバ２０へ送信される（ステップＳ４０）。情報管理サーバ２０の情報受付部２４によってカード停止情報が受信されると、格納部２５によって利用停止情報が該当するカードＩＤに対応するサービスＩＤとそれぞれ関連付けられて格納されることにより、利用停止情報が登録される（ステップＳ４１）。
【００６５】
利用停止情報が登録されると、送信部２７によって、利用停止情報が登録されたサービスＩＤに対応するサービス提供サーバ３０のアドレスが特定され、該当するサービス提供サーバ３０へ利用停止情報が送信される（ステップＳ４２）。
【００６６】
このように、図７のステップＳ３４および図９のステップＳ４１の状態は、特定サービスの利用は停止され、情報管理サーバ２０には、サービスＩＤと関連付けて利用停止情報が格納された仮削除状態となっている。
【００６７】
次に図１０には、仮削除状態において、通信端末１０から送信される要求情報に応じて、情報管理サーバ２０から提供される情報の表示画面を示す。
【００６８】
図１０に示す表示画面は、電話番号「０９０−９１２３−××××」に基づいて特定されるユーザ「鈴木」さんが、カードＩＤ「２２２２２２２」のＩＣカード１７を用いて、サービスＩＤ「ＤＤＤサービス」を現在利用していることを示す。また、サービスＩＤ「ＡＡＡサービス」の表示の横に、利用を停止している旨を示す利用停止マークＭを表示することにより、過去に、電話番号「０９０−９１２３−××××」のユーザが、カードＩＤ「２２２２２２２」のＩＣカード１７を用いて、「ＡＡＡサービス」を利用していたことを示す。さらに、カードＩＤ「３１３１１１１」である他のＩＣカード１７を用いてサービスＩＤが「ＥＥＥサービス」である特定サービスを利用していることを示す。
【００６９】
このように、本実施形態の情報管理システム１では、過去に利用した特定サービスをカードＩＤと関連付けて表示することができる。すなわち、同一のＵＩＭカードを装着した新たな通信端末にて情報要求を行った場合でも、過去に利用した特定サービスと現在利用中の特定サービスの情報とを併せて取得することができる。更に、その取得した情報から、新たな通信端末に内蔵された新たなＩＣカードを用いて、再び過去に利用した特定サービスの利用を開始することが可能になる。従って、ＩＣカードを置換した場合に行う特定サービスの移行を簡易に行うことができる。また、パーソナルコンピュータやＰＤＡ等の情報通信機器からユーザＩＤを特定して情報要求があった場合には、この情報通信機器に対して上述したようなサービスの利用状況を示す情報を提供することができる。
【００７０】
続いて、図１１を参照しながら、利用を停止した特定サービスの情報を情報管理サーバ２０から削除する際の情報管理システム１の動作について説明する。
【００７１】
通信端末１０の情報提供部１４によって、サービスＩＤの登録の削除を要求する旨の削除情報が情報管理サーバ２０へ送信される（ステップＳ５０）。情報管理サーバ２０の情報受付部２４によって削除情報が受信されると、格納部２５によって、該当する特定サービスの登録が削除される（ステップＳ５１）。登録が削除されると、送信部２７によって削除処理完了通知が通信端末１０へ送信される（ステップＳ５２）。
【００７２】
このように、ステップＳ５２の状態は、対応するＩＣカードを用いた特定サービスの利用は停止され、情報管理サーバ２０において、対応するＩＣカードと関連付けられた特定サービスの登録が削除された本削除状態となっている。本削除状態を設けたことによって、不要になった特定サービスの登録を削除することができる。例えば、ＩＣカードを置換した場合に行う特定サービスの移行が完了して不要になった場合に、過去に利用したＩＣカードと特定サービスとを関連付けた情報を削除することができる。
【００７３】
引き続いて、図１２を参照しながら情報管理サーバ２０から利用を停止した特定サービスの情報を削除する際の動作に対応する通信端末１０の表示画面について説明する。
【００７４】
表示画面Ｄ４０には、過去に利用を停止した特定サービス「ＡＡＡサービス」が表示され、「サービスを削除する」を選択するすると表示画面Ｄ４１が表示される。表示画面Ｄ４１は、削除するサービスを選択する入力画面であり、ＡＡＡサービスを選択して「ＯＫ」を選択すると、表示画面Ｄ４２が表示される。表示画面Ｄ４２は、ＩＣカード１７「２２２２２２２」の「ＡＡＡサービス」を削除してよいか確認する確認画面である。表示画面Ｄ４２において、「はい」を選択すると、削除情報が通信端末１０から情報管理サーバ２０へ送信される。情報管理サーバ２０から削除処理完了通知を通信端末１０が受信すると、表示画面Ｄ４３のように「削除しました」のメッセージが表示される。
【００７５】
以上説明した情報管理システム１によれば、通信端末１０から送信される電話番号とカードＩＤとサービスＩＤとを登録受付部２２が受信するので、過去、現在に渡って複数のＩＣカード１７を利用可能なユーザを各ＩＣカード１７のユーザとして識別可能な電話番号に対して、カードＩＤとサービスＩＤとの情報を取得することができる。更に、格納部２５が電話番号とカードＩＤとサービスＩＤとを関連づけて格納するので、１人のユーザに対して複数のＩＣカード１７毎の複数のサービスの利用状況を管理することができる。すなわち、ユーザが利用する特定サービスを変更したり、通信端末１０（ＩＣカード１７）を置換したりする際に、どの特定サービスがどのＩＣカード１７を用いて利用されているかを把握することができる。従って、複数のＩＣカード１７を利用するユーザに対して利便性の高い環境を提供することができる。
【００７６】
また、要求受付部２３が受信した電話番号に対応するカードＩＤ及びサービスＩＤを抽出部２６が抽出して、送信部２７がカードＩＤとサービスＩＤとを送信するので、複数のＩＣカード１７毎の複数のサービスの利用情報を提供することができる。
【００７７】
また、情報受付部２４が停止情報を受信して、格納部２５が対応するサービスＩＤに停止情報を関連づけて格納するので、利用を停止した特定サービスを把握することができる。また、抽出部がカードＩＤ又はサービスＩＤに停止情報を付加し、送信手段が停止情報をカードＩＤ及びサービスＩＤと共に送信するので、利用を停止した特定サービスの情報を提供することができる。すなわち、ユーザが、通信端末１０（ＩＣカード１７）の利用を停止して、新たな通信端末１０（ＩＣカード１７）を利用する場合に、過去に利用を停止した特定サービスまたはＩＣカード１７の情報を提供するので、より容易に特定サービスの移行を行うことが可能となる。
【００７８】
また、情報受付部２４がＩＣカード１７の停止情報を受信すると、送信部２７が対応するサービス提供サーバ３０へサービス停止情報を送信するので、ＩＣカード１７の利用停止に応じて各サービス提供サーバ３０へサービス利用停止の旨の情報が自動的に送信されることとなる。よって、ユーザによる各サービス提供会社への連絡は不要となり、利便性が向上する。
【００７９】
更に、通信端末１０のＩＣカード１７内におけるメモリ領域の割当解除に応じて停止情報が送信されるので、サービス停止情報をサービスの利用停止に応じて自動的に情報管理サーバ２０へ送信することができる。
【００８０】
本発明は、上記実施形態に限定されるものではなく、種々の変形が可能である。上記実施形態では、登録要求部１２は、サービス用アプリケーションの初回起動時に応じて電話番号とカードＩＤとサービスＩＤとを送信していたが、例えば、登録要求部１２が、ＩＣカード１７内のメモリ領域における特定サービスに対応する領域の割当処理に応じて、電話番号とカードＩＤとサービスＩＤとを送信してもよい。よって、より的確にサービスの利用開始に応じて登録の要求を自動的に行うことができる。
【００８１】
また、上記実施形態では、情報提供部１４は、領域割当の解除処理に応じてサービス停止情報を送信したが、サービス用アプリケーションを介して行われるユーザによる特定サービスの停止の要求に応じてサービス停止情報を送信してもよい。
【００８２】
また、上記実施形態では、カード停止情報を情報受付部２４が受信すると、格納部２５は、サービスＩＤと停止情報を関連付けて格納したが、対応するカードＩＤと停止情報を関連付けて格納してもよい。
【００８３】
更に、上記実施形態では、通信端末１０にて要求情報を送信すると、利用しているＩＣカード１７のカードＩＤが返信されていたが、要求情報に通信端末１０の機種名を付加して送信することによって、情報管理サーバ２０の格納部２５に、該当するカードＩＤと関連付けて機種名を格納し、通信端末１０からの情報の要求に応じてカードＩＤの代わりに機種名を返信してもよい。
【００８４】
また更に、端末管理サーバ４０は、通信端末１０またはＩＣカード１７が故障した旨を示す故障情報を情報管理サーバ２０へ送信し、情報管理サーバ２０が受信した故障情報をカードＩＤと関連付けて格納してもよい。この場合、送信部２７がカードＩＤ及びサービスＩＤと共に故障情報を付加して通信端末１０に送信することによって、通信端末１０において表示画面にカードＩＤと故障情報を関連付けて表示させることができる。
【００８５】
また、上記実施形態では、ユーザＩＤとして電話番号を用いたが、会員番号等のユーザを特定可能な英数字または文字列等の識別情報を用いてもよい。また、サービス提供サーバ３０が、サービスを提供先のユーザを一意に特定するＩＤをサービスＩＤとは別の番号体系に従って管理している場合に、情報管理サーバ２０が、サービスＩＤと対応付けて上記ＩＤを管理するようにしても良い。この場合、サービス提供サーバ３０から自サーバが提供しているサービスの利用停止を要求することができる。
【００８６】
尚、上記実施形態では、通信端末１０は、携帯電話機としたが、ＰＨＳ（Personal Handyphone System）、ＰＤＡ（Personal Digital Assistance）等の端末装置であってもよい。
【図面の簡単な説明】
【００８７】
【図１】本発明による情報管理システムの好適な一実施形態を示す概略構成図である。
【図２】図１の格納部に格納されるデータ構成図である。
【図３】本発明による情報管理システムの動作を示すシーケンス図である。
【図４】図１の通信端末における表示画面を説明するための図である。
【図５】本発明による情報管理システムの動作を示すシーケンス図である。
【図６】図１の通信端末における表示画面を説明するための図である。
【図７】本発明による情報管理システムの動作を示すシーケンス図である。
【図８】図１の通信端末における表示画面を説明するための図である。
【図９】本発明による情報管理システムの動作を示すシーケンス図である。
【図１０】図１の通信端末における表示画面を説明するための図である。
【図１１】本発明による情報管理システムの動作を示すシーケンス図である。
【図１２】図１の通信端末における表示画面を説明するための図である。
【符号の説明】
【００８８】
１…情報管理システム、１０…通信端末、１１…送信部、１２…登録要求部、１３…情報要求部、１４…情報提供部、１５…受信部、１６…表示部、１７…ＩＣカード、２０…情報管理サーバ、２１…受信部、２２…登録受付部、２３…要求受付部、２４…情報受付部、２５…格納部、２６…抽出部、２７…送信部、２８…データベース、３０…サービス提供サーバ、４０…端末管理サーバ。
【図１】
2007004266.tif 000003
【図２】
2007004266.tif 000004
【図３】
2007004266.tif 000005
【図４】
2007004266.tif 000006
【図５】
2007004266.tif 000007
【図６】
2007004266.tif 000008
【図７】
2007004266.tif 000009
【図８】
2007004266.tif 000010
【図９】
2007004266.tif 000011
【図１０】
2007004266.tif 000012
【図１１】
2007004266.tif 000013
【図１２】
2007004266.tif 000014